(57)【要約】      （修正有）【課題】本考案は、低侵襲方式で、抜歯時における周囲組織の破壊や損傷を防止し、最小限の道具で、簡単且つ軽い力で抜歯する抜歯装置を提供する。【解決手段】第１鉗子アーム１１と第２鉗子アーム１２を備える鉗子ユニット１と、連動アーム２１と当接フック部２２を備えるてこ部品と、第２鉗子アームの一端に形成される２つの第１緩衝部品３と、複数の第１緩衝部品の間に形成される第１隙間部と、第２鉗子アームの一端に形成されるとともに第１隙間部の一側に位置する第２緩衝部品４と、からなる。上述の構造により、歯科医師が抜歯する際、まず歯固定材で第１歯を固定または挟持し、第１緩衝部品または第２緩衝部品を第２歯に当接させることで作用支点になるとともに、当接フック部を歯固定材の一側に当接させるまたは当接フック部を歯固定材の一側に引掛け、第１鉗子アームと第２鉗子アームを相互に揺らすことで、連動アームにより当接フック部が動く。【選択図】図２
0003222674.tif 000002
【実用新案登録請求の範囲】
【請求項１】
鉗子ユニットと、てこ部品と、２つの第１緩衝部品と、第１隙間部と、第２緩衝部品と、からなる抜歯装置であって、
前記鉗子ユニットは、第１鉗子アームと、前記第１鉗子アームに枢設される第２鉗子アームを備え、
前記てこ部品は、第１鉗子アームの一端に形成されるとともに、前記第１鉗子アームの一端に形成される連動アームと、前記連動アームの一端に形成される当接フック部とを備え、前記てこ部品は、歯固定材と連動して作動することで、第１歯を抜き取り、
前記２つの第１緩衝部品は、前記第２鉗子アームの一端に形成されるとともに、複数の第２歯に当接することで、前記てこ部品の作用支点になり、
前記第１隙間部は、前記２つの第１緩衝部品の間に形成されるとともに、
前記てこ部品は、前記第１隙間部内で動き、
前記第２緩衝部品は、前記第２鉗子アームの一端に形成されるとともに前記第１隙間部の一側に位置し、前記第２緩衝部品は、前記第２歯に当接することで、前記てこ部品の作用支点となることを特徴とする、抜歯装置。
【請求項２】
前記第２鉗子アームは、複数の第１緩衝接合部を備えるとともに、各前記第１緩衝部品及び前記第２緩衝部品は、各前記第１緩衝接合部に対応して連結される第２緩衝接合部をそれぞれ備えることを特徴とする、請求項１に記載の抜歯装置。
【請求項３】
前記第２緩衝部品は、アーム延展延長部品と、前記アーム延展延長部品と異なる側にそれぞれ設けられる２つの緩衝部を備えるとともに、前記２つの緩衝部の間には、前記第１隙間部の幅より広い第２隙間部が形成されることを特徴とする、請求項２に記載の抜歯装置。
【請求項４】
前記鉗子ユニットは、前記第１鉗子アーム及び前記第２鉗子アームに連結される弾性部品を備えることを特徴とする、請求項１に記載の抜歯装置。
【請求項５】
前記第１鉗子アーム及び前記第２鉗子アームにおける前記てこ部品から離れた一端は、第１アーム接合部をそれぞれ備えるとともに、前記複数の第１アーム接合部には、アーム延長部品がそれぞれ設けられ、各前記アーム延長部品は、各前記第１アーム接合部に対応して連結される第２アーム接合部をそれぞれ備えることを特徴とする、請求項１に記載の抜歯装置。
【請求項６】
前記第１鉗子アーム及び前記第２鉗子アームにおける前記てこ部品から離れた一端は、第１アーム接合部をそれぞれ備えるとともに、前記複数の第１アーム接合部には、加圧部品が設けられ、前記加圧部品は、前記複数の第１アーム接合部に対応して連結される複数の第３アーム接合部を備えることを特徴とする、請求項１に記載の抜歯装置。
【請求項７】
前記加圧部品は、ねじ部と、前記ねじ部を動かす操作部を備えるとともに、前記複数の第３アーム接合部は、前記ねじ部に可動に設けられることを特徴とする、請求項６に記載の抜歯装置。
【請求項８】
前記歯固定材は、第１グリップアームと、前記第１グリップアームに枢設される第２グリップアームと、前記第１グリップアームの一端に形成される第１挟持部と、前記第２グリップアームの一端に形成される第２挟持部と、前記第１グリップアーム及び前記第２グリップアームの一側に形成されるとともに前記当接フック部と連動して作動する少なくとも１つの穿孔部と、前記第１グリップアーム及び前記第２グリップアーム上に設けられる締付部品を備えることを特徴とする、請求項１に記載の抜歯装置。
【請求項９】
前記歯固定材は、前記第１グリップアーム及び前記第２グリップアームにおける前記第１挟持部及び前記第２挟持部から離れた一側にハンドル部をそれぞれ備えることを特徴とする、請求項８に記載の抜歯装置。
【請求項１０】
前記第１グリップアームは、第１ストッパー部を備えるととも、前記第２グリップアームは、前記第１ストッパー部に対応して連結される第２ストッパー部を備えることで、前記第１グリップアーム及び前記第２グリップアームが上下にずれるのを防止することを特徴とする、請求項８に記載の抜歯装置。
【請求項１１】
前記第１挟持部及び前記第２挟持部の一側は、延長挟持部をそれぞれ備えることを特徴とする、請求項８に記載の抜歯装置。
【考案の詳細な説明】
【技術分野】
【０００１】
本考案は抜歯装置に関し、特に、構造が簡単であり、操作しやすいとともに、低侵襲方式を利用することで、抜歯時における周囲組織の破壊や損傷を防止し、さらに、使用する道具を減らすことにより、抜歯における労力を軽減することのできる抜歯装置に関する。
【背景技術】
【０００２】
抜歯術とは、歯科学において口腔から歯を取り除く手術であり、通常、術前に口腔に局部麻酔を施す。一般的な抜歯方法は、鉗子を使用した抜歯であり、この方法は、クラウン部が十分残されている場合に用いられる。歯科用鉗子でクラウンを固定して揺らし、ねじり、歯根と歯槽骨の結合を破壊した後、歯を引っ張り、抜き取る。難しい位置にある歯の場合、抜歯用のへーベルを使って、てこの作用、くさび作用等の方法で歯を抜き取る、または抜き取りたい歯をいくつかの部分に切り分け、別々に抜き取り、歯肉の下に隠れている生えきっていない歯、または、残された歯根は、手術方式で歯肉を切り離し、さらには骨を研削して露出させた後、抜歯器具で抜き取る。上述の抜歯の過程において使用される器具は相当複雑であるとともに、ほとんどの操作手段において音または痛みが生じることで、患者に恐怖を感じさせてしまうため、多くの患者が、医療技術が発達した現代においてもなお抜歯に一定の恐怖心を抱いている。
【０００３】
中国特許第ＣＮ１７３５３８６Ａ号明細書「歯根摘出の方法と装置」における抜歯器具は、主にねじ（例えば、歯科用ねじ）によって歯根の中に固定されるとともに、張力装置（例えば、ワイヤー）を起動させ、電動または手動で回すことによって、歯根の軸方向に沿って引っ張り、抜き取る。使用者が大きな力を入れることなく、簡単な操作で歯根に比較的大きな牽引力を加えることができるとともに、スペースの問題もなく、さらに口腔内を傷つけるリスクを低減させることができるということになっているが、その製造コストまたは実際の売価は、使用者から見て好ましいとは言えないとともに、残った歯根を抜き取る際にしか使用することができないため、用途が非常に狭く、全体的なコストパフォーマンスが低い。さらに、揺らしてねじる際には大きな力を入れる必要がないが、張力装置に引っ張られないように、装置本体をしっかりと持ち固定しておく必要がある。
【０００４】
上述の抜歯器具を使用する際、以下に挙げる問題と欠点が存在し、改善が期待されている。
【０００５】
一、製造コストまたは実際の売価が高すぎるため、歯科の分野における普及率が低い。
【０００６】
二、操作用途または適用できる状況の範囲が限られている。
【０００７】
三、張力装置を制御するのに力を入れる必要があり、実際には労力を要する。
【先行技術文献】
【特許文献】
【０００８】
【特許文献１】中国特許第ＣＮ１７３５３８６Ａ号明細書
【考案の概要】
【考案が解決しようとする課題】
【０００９】
従って、本考案の考案者は、上述の欠点を踏まえて、関連する資料、多方面からの評価及び考察を収集するとともに、この業界に従事した長年の経験をもとに、試作と修正を繰り返すことで、本考案の構造が簡単であり、操作しやすいとともに、低侵襲方式を利用することで、抜歯時における周囲組織の破壊や損傷を防止し、さらに、使用する道具を減らすことにより、抜歯における労力を軽減することのできる抜歯装置を設計することができた。
【００１０】
本考案は、主に、操作方法が簡単であり、１つの鉗子ユニットのみを使用するとともに、一般の抜歯及び残った歯根を抜き取る等の用途に適用することのできる抜歯装置を提供することを目的とする。
【課題を解決するための手段】
【００１１】
上述の目的を達成するため、本考案の主な構造は、鉗子ユニットからなり、前記鉗子ユニットは、第１鉗子アームと、前記第１鉗子アームに枢設される第２鉗子アームを備え、前記第１鉗子アームの一端には、てこ部品が形成されるとともに、前記てこ部品は、前記第１鉗子アームの一端に形成される連動アームと、前記連動アームの一端に形成される当接フック部を備え、前記てこ部品は、歯固定材と連動して作動することで、第１歯を抜き取るとともに、前記第２鉗子アームの一端には、２つの第１緩衝部品が形成され、前記てこ部品は、複数の第２歯に当接し、前記てこ部品の作用支点となるとともに、前記複数の第１緩衝部品の間には、第１隙間部が形成されることで、前記てこ部品を前記第１隙間部内で動かすことができ、さらに、前記第２鉗子アームの一端には、前記第１隙間部の一側に位置する第２緩衝部品が形成され、前記てこ部品は、前記第２歯に当接することで、前記てこ部品の作用支点となる。
【００１２】
使用者が本考案によって抜歯する場合、まず、歯固定材を第１歯に固定または挟持し、続いて、第２歯の配置状況に基づいて、第１緩衝部品または第２緩衝部品を第２歯に当接させるとともに、当接フック部を歯固定材の一側に当接させるまたは当接フック部を歯固定材の一側に引掛け、最後に使用者が徐々に鉗子ユニットに力を加え、第１鉗子アームと第２鉗子アームを相互に揺らすことで、連動アームが当接フック部を動かして上に立てることにより、最小限の道具で、簡単且つ軽い力で第１歯を抜き取ることができる。
【考案の効果】
【００１３】
上述の技術により、従来の抜歯器具に存在するコストが高い、用途が狭い、操作に労力を要する、及び普及率が高くないといった問題を突破し、上述の長所の実用的進歩を達成することができる。
【図面の簡単な説明】
【００１４】
【図１】本考案における好ましい実施例１の斜視図である。
【図２】本考案における好ましい実施例１を別の角度から見た斜視図である。
【図３】本考案における好ましい実施例１の歯固定材の斜視図である。
【図４】本考案の好ましい実施例１における固定した状態を示した図である。
【図５】本考案における好ましい実施例１の実施図である。
【図６】本考案の好ましい実施例１における当接した状態を示した図（一）である。
【図７】本考案の好ましい実施例１における抜歯を示した図である。
【図８】本考案の好ましい実施例１における当接した状態を示した図（二）である。
【図９】本考案の好ましい実施例１における取り替えを示した図である。
【図１０】本考案における好ましい実施例１の構造を示した図である。
【図１１】本考案の好ましい実施例２における歯固定材の斜視図である。
【図１２】本考案の好ましい実施例２における固定を示した図である。
【図１３】本考案の好ましい実施例２における抜歯を示した図である。
【図１４】本考案の好ましい実施例３における形態を換えた状態を示した図である。
【図１５】本考案の好ましい実施例３における当接した状態を示した図である。
【図１６】本考案の好ましい実施例４におけるアームの延長を示した図である。
【図１７】本考案の好ましい実施例５における加圧部品の組立図である。
【図１８】本考案の好ましい実施例５における加圧を示した図である。
【図１９】本考案の好ましい実施例６における歯固定材の斜視図である。
【図２０】本考案の好ましい実施例６における挟んで固定した状態を示した図である。
【図２１】本考案の好ましい実施例６における抜歯を示した図である。
【図２２】本考案の好ましい実施例７における歯固定材の斜視図である。
【図２３】本考案の好ましい実施例７における挟んで固定した状態を示した図である。
【図２４】本考案の好ましい実施例７における抜歯を示した図である。
【図２５】本考案における好ましい実施例８の実施図である。
【考案を実施するための形態】
【００１５】
参照する図１から図３は、本考案における好ましい実施例１の斜視図から歯固定材の斜視図までであり、図から明らかな通り、本考案は、鉗子ユニット１と、陥凹部１２１と、てこ部品２と、第１緩衝部品３と、第１隙間部３２と、第２緩衝部品４とからなる。
【００１６】
前記鉗子ユニット１は、第１鉗子アーム１１と、前記第１鉗子アーム１１に枢設される第２鉗子アーム１２を備える。
【００１７】
前記第２鉗子アーム１２上に形成される陥凹部１２１には、口角が入る。
【００１８】
てこ部品２は、前記第１鉗子アーム１１の一端に形成されるとともに、前記第１鉗子アーム１１の一端に形成される連動アーム２１と、前記連動アーム２１の一端に形成される当接フック部２２を備え、てこ部品２は、歯固定材５と連動して作動することで、第１歯を抜き取る。
【００１９】
前記第２鉗子アーム１２の一端に形成される２つの第１緩衝部品３は、複数の第２歯に当接することで、前記てこ部品２の作用支点となる。
【００２０】
第１隙間部３２は、前記複数の第１緩衝部品３の間に形成されるとともに、前記てこ部品２は、前記第１隙間部３２内で動く。
【００２１】
前記第２鉗子アーム１２の一端に形成されるとともに前記第１隙間部３２の一側に位置する第２緩衝部品４は、前記第２歯に当接することで、前記てこ部品２の作用支点となる。
【００２２】
そのうち、前記歯固定材５は、ドリル部５１と、前記ドリル部５１の一端に設けられる鉗子ヘッド５２と、前記鉗子ヘッド５２における前記ドリル部５１から離れた端面に形成される位置決め部５３を備える。
【００２３】
上述の説明により、本技術の構造について理解することができるが、これらの構造が対応して組み合わされることによって達成される、構造が簡単であり、製造コストが比較的低く、操作しやすいとともに、低侵襲方式を利用することで、抜歯時における周囲組織の破壊や損傷を防止し、さらに、使用する道具を減らすことにより、抜歯における労力を軽減することのできる等の長所について、以下に詳しく詳述する。
【００２４】
図１から図１０も併せて参照する。図１から図１０は、本考案における好ましい実施例１の斜視図から構造を示した図であり、上述の構成部品を組み立てる際、図から明らかな通り、本実施例における前記第１鉗子アーム１１と前記てこ部品２は、一体成型であり、前記第２鉗子アーム１２と前記第１緩衝部品３、第２緩衝部品４は、一体成型であるとともに、第１鉗子アーム１１と第２鉗子アーム１２を係合させる相互の枢設により、鉗子ユニット１は、てこの原理を利用して第１歯６１（患歯）を取り出す。
【００２５】
実際に使用する際には、まず、歯固定材５を第１歯６１上に固定するが、本実施例では、例として第１歯６１は歯根とする。前記歯固定材５は、歯科用ねじを改良したものであるため、既存のドリル部５１を残しているとともに、鉗子ヘッド５２を作ることでてこ部品２が当接するとともに、鉗子ヘッド５２の頂面には、位置決め部５３が設けられることで、穿設するまたは巻き付ける方法でデンタルフロス５３１が固定され、第１歯６１を抜き取る際に飛び散るのが防止される。従って、歯固定材５が第１歯６１に固定される際、ドリル部５１は、神経管路に沿って入れられるとともに、鉗子ヘッド５２（図４に図示）を露出させる。続いて、鉗子ユニット１を患者の口腔内に入れ、この時、陥凹部１２１の設計を組み合わせることで、口角６３部は、陥凹部１２１の部分に収まり、頬が鉗子ユニット１によって広げられる幅が小さくされることで、患者の不快感が軽減される（図５に図示）。さらに、第２歯６２（つまり、その他の歯）の配置状況に基づき、第１緩衝部品３または第２緩衝部品４を第２歯６２に当接させる。図６に示す通り、使用者は、てこ部品２の両側に位置する第１緩衝部品３を、第１歯６１の左右両側にある第２歯６２に当接させることで、当接フック部２２を鉗子ヘッド５２の下方に当接させる。そうすることで、前記鉗子ヘッド５２の底部の設計は弧形状であるため（または、直径が比較的小さな形態の設計）、当接フック部２２を位置決めしやすいだけでなく、隣り合う第２歯６２に低触するのを防ぐことができる。最後に、図７に示す通り、使用者が徐々に鉗子ユニット１に力を加えることで、第１緩衝部品３が作用支点となり、第１鉗子アーム１１と第２鉗子アーム１２を相互に揺らすことで、連動アーム２１が当接フック部２２を動かして上に立てることで、最小限の道具で、簡単且つ軽い力で第１歯６１を抜き取ることができる。そのうち、前記連動アーム２１と第１鉗子アーム１１が連結される部分の構造は、比較的太いとともに、構造強度が比較的強く、抜歯動作に必要とされる外力を支えることができ、連動アーム２１における当接フック部２２に近い部分は、歯の幅よりやや小さい設計であるため、連動アーム２１は、徐々に細くなる形態に形成される。
【００２６】
さらに、図８に示す通り、仮に、第２歯６２の配置または第１歯６１の位置が、第１緩衝部品３を当接させにくい場合、第２緩衝部品４を第２歯６２に当接させることができる。例えば、第１歯６１が親知らず（最も内側の歯）である場合、第１歯６１の一側にのみしか第２歯６２が存在しておらず、２つの第１緩衝部品３を左右両側の第２歯６２に当接させることができないため、代わりに、第２緩衝部品４を一本の第２歯６２に当接させることで、上述の力を入れやすくする目的が同様に達成される。
【００２７】
図９に示す通り、衛生面と安全面の問題に基づいて、前記第２鉗子アーム１２上には、複数の第１緩衝接合部１２２（本実施例では、棒状）を備えることができるとともに、各前記第１緩衝部品３及び前記第２緩衝部品４は、各前記第１緩衝接合部１２２に対応して連結される第２緩衝接合部３１と第２緩衝接合部４１（本実施例では、穿孔状）をそれぞれ備える。このように、第１緩衝部品３及び第２緩衝部品４は、毎回使用後に直接取り出し、新しいものと取り替えることができることで、消毒殺菌の処置を行う必要がない。
【００２８】
図１０に示す通り、鉗子ユニット１の操作過程において、第１鉗子アーム１１と第２鉗子アーム１２の圧接動作は、一般に、徐々に加圧し、必要な部分に至っては引き戻すことで、患者の痛みを軽減させるとともに第１歯６１以外の部分の損傷を防止し、鉗子ユニット１の使用における便利性を高めるため、前記鉗子ユニット１には、前記第１鉗子アーム１１及び前記第２鉗子アーム１２に連結される弾性部品１３を備えることができることで、使用者が第１鉗子アーム１１及び前記第２鉗子アーム１２を緩めるため力を入れる際、自動で元に回復する。本実施例における前記弾性部品１３は、例として弾片状である。
【００２９】
図１１から図１３も併せて参照する。図１１から図１３は、本考案の好ましい実施例２における歯固定材の斜視図から抜歯を示した図であり、図から明らかな通り、本実施例と上述の実施例は、ほぼ同じであるが、前記歯固定材５ａの鉗子ヘッド５２ａは、並列に設けられた複数のホック部５２１ａを備えると同時に、歯固定材５ａの外観は、図１１に示す通り長型の釘に変更されており、前記歯固定材５ａは、ドリル部５１ａと、鉗子ヘッド５２ａと、位置決め部５３ａを同様に備え、この形態は、横向きの親知らず（第１歯６１ａ）を抜き取る場合に適用される。実際に使用する際には、まず第１歯６１ａのクラウン部分を切除し、第１歯６１ａと隣り合う第２歯６２ａの間にスペースをあけ、続いてドリル部５１ａを第１歯６１ａに差し込み、その後、抜歯する際に、医師は、第１緩衝部品３を上段及び下段の第２歯６２ａにそれぞれ当接させるよう患者を誘導して口を開けさせ、さらに、第１緩衝部品３の位置決め效果及び支持強度を高めることにより、同様に、第１緩衝部品３ａが作用支点となり、当接フック部２２ａを適当な位置のホック部５２１ａの部分に置くことで、上述と同じ動作原理で、鉗子ユニット１ａにより第１歯６１ａを抜き取ることができる。
【００３０】
図１４及び図１５も併せて参照する。図１４及び図１５は、本考案の好ましい実施例３における形態を換えた状態を示した図及び当接した状態を示した図であり、図から明らかな通り、本実施例と上述の実施例は、ほぼ同じであるが、前記第２緩衝部品４ｂは、アーム延展延長部品４２１ｂと、前記アーム延展延長部品４２１ｂと異なる側にそれぞれ設けられる２つの緩衝部４２２ｂを備えるとともに、前記２つの緩衝部４２２ｂの間には、前記第１隙間部３２ｂより幅の広い第２隙間部４２３ｂが形成される。第１緩衝接合部１２２ｂの設計に基づき、第２緩衝部品４ｂを本実施例の外観形態に置き換えることができ、そのうち、緩衝部４２２ｂは、アーム延展延長部品４２１ｂと異なる側に設けられることで、前記２つの緩衝部４２２ｂの間の間隔は、第２隙間部４２３ｂの幅と同じであるとともに、第２隙間部４２３ｂの幅は、第１隙間部３２ｂの幅より広いことにより、２つの緩衝部４２２ｂは、第１緩衝部品３ｂの外側に位置することができる、言い換えれば、仮に、第１歯６１ｂと隣り合う位置にある第２歯６２ｂがないまたは不完全である場合、本実施例の第２緩衝部品４ｂを使用し、緩衝部４２２ｂ（または第１緩衝部品３ｂを同時に使用）によって第１歯６１ｂを飛び越し、第１歯６１ｂから比較的離れた場所にある第２歯６２ｂに当接させることができることで、本考案の適用状況を広げることができる。
【００３１】
図１６も併せて参照する。図１６は、本考案の好ましい実施例４におけるアームの延長を示した図であり、図から明らかな通り、本実施例と上述の実施例は、ほぼ同じであるが、前記第１鉗子アーム１１ｃ及び前記第２鉗子アーム１２ｃにおける前記てこ部品２ｃから離れた一端は、第１アーム接合部１４ｃをそれぞれ備えるとともに、前記複数の第１アーム接合部１４ｃには、アーム延長部品１５ｃがそれぞれ設けられ、各前記アーム延長部品１５ｃは、各前記第１アーム接合部１４ｃに対応して連結される第２アーム接合部１５１ｃをそれぞれ備え、そのうち、前記第１アーム接合部１４ｃと第２アーム接合部１５１ｃは、ねじ固定方式で接合且つ固定される。従って、使用者は、第１鉗子アーム１１ｃ及び前記第２鉗子アーム１２ｃの後端にアーム延長部品１５ｃを増設することで、てこの原理におけるモーメントを大きくし、さらに、使用者が第１鉗子アーム１１ｃ及び前記第２鉗子アーム１２ｃに加える必要のある力を低減させることができるため、省力の目的が達成される。
【００３２】
図１７及び図１８も併せて参照する。図１７及び図１８は、本考案の好ましい実施例５における加圧部品の組立図加及び加圧を示した図であり、図から明らかな通り、本実施例と上述の実施例は、ほぼ同じであるが、前記第１鉗子アーム１１ｄ及び前記第２鉗子アーム１２ｄにおける前記てこ部品２ｄから離れた一端は、第１アーム接合部１４ｄをそれぞれ備え、さらに、前記複数の第１アーム接合部１４ｄには、加圧部品１６ｄが設けられ、前記加圧部品１６ｄは、前記複数の第１アーム接合部１４ｄに対応して連結される複数の第３アーム接合部１６１ｄを備え、前記加圧部品１６ｄは、ねじ部１６２ｄと、前記ねじ部１６２ｄを動かす操作部１６３ｄを備えるとともに、前記複数の第３アーム接合部１６１ｄは、前記ねじ部１６２ｄ上に可動に設けられ、そのうち、前記第１アーム接合部１４ｄと第３アーム接合部１６１ｄは、ねじ固定方式で接合且つ固定され、操作部１６３ｄを動かすことによりねじ部１６２ｄを動かして回すとともに、本実施例の操作部１６３ｄは、連結棒１６３１ｄ及び前記連結棒１６３１ｄに枢設される回転ハンドル１６３２ｄからなることで、使用者は、さらに簡単に一定の持ち方により指先で回転ハンドル１６３２ｄを掴持できることで、連結棒１６３１ｄの動きをを制御する。この時、第３アーム接合部１６１ｄは、第１鉗子アーム１１ｄ及び前記第２鉗子アーム１２ｄの後端に固設されるため、ねじ部１６２ｄを回すことで第３アーム接合部１６１ｄを内側に締めることができることによって（本実施例では、第１鉗子アーム１１ｄの後端における第３アーム接合部１６１ｄを固定し、第２鉗子アーム１２ｄの後端における第３アーム接合部１６１ｄを上に動かす）ジャッキと類似した原理により、加圧部品１６ｄが手で力を加える動作に取って代わることができ、使用者が操作するのに必要な労力がさらに軽減される。
【００３３】
図１９から図２１も併せて参照する。図１９から図２１は、本考案の好ましい実施例６における歯固定材の斜視図から抜歯を示した図であり、図から明らかな通り、本実施例と上述の実施例は、ほぼ同じであるが、例として、歯固定材５ｅを別の構造形態で実施する。前記歯固定材５ｅは、第１グリップアーム５４ｅと、前記第１グリップアーム５４ｅに枢設される第２グリップアーム５５ｅと、前記第１グリップアーム５４ｅの一端に形成される第１挟持部５４１ｅと、前記第２グリップアーム５５ｅの一端に形成される第２挟持部５５１ｅと、前記第１グリップアーム５４ｅ及び前記第２グリップアーム５５ｅの一側に形成されるとともに前記当接フック部２２ｅと連動して作動する少なくとも１つの穿孔部５６ｅと、前記第１グリップアーム５４ｅ及び前記第２グリップアーム５５ｅ上に設けられる締付部品５７ｅを備え、上述の構造は、挟持原理によって第１歯６１ｅのクラウン側辺を固定する歯固定材５ｅからなる、言い換えると、本考案は、歯の残った歯根を抜き取るためだけではなく、一般の歯を抜き取る際にも適用することができる。
【００３４】
実際に使用する場合、第１グリップアーム５４ｅ及び第２グリップアーム５５ｅを第１歯６１ｅの両側に置くとともに、締付部品５７ｅの締め付け具合を調整し、ねじの設計によって、第１グリップアーム５４ｅの一側に枢設される第２グリップアーム５５ｅを内側に締め付けることで、第１挟持部５４１ｅ及び第２挟持部５５１ｅは、第１歯６１ｅの側表面を共に取り囲むとともに、本実施例において、第１挟持部５４１ｅ及び第２挟持部５５１ｅは、円弧状であることで、第１歯６１ｅの側表面にぴったりとそぐう。締め付ける動作が完了すると、当接フック部２２ｅを穿孔部５６ｅの中に枢設することで、鉗子ユニット１ｅにより前記第１歯６１ｅを抜き取る。そのうち、前記穿孔部５６ｅは、図に示す通り長方形枠状に形成された空洞、または、締付部品５７ｅに位置する第１グリップアーム５４ｅ及び第２グリップアーム５５ｅの間の中空空間であることができるとともに、長方形枠状の空洞と中空空間の開け口方向は、互いに垂直であることで、使用者は、異なる方向から当接させることができ、操作における便利性が向上する。
【００３５】
図２２から図２４も併せて参照する。図２２から図２４は、本考案の好ましい実施例７における歯固定材の斜視図から抜歯を示した図であり、図から明らかな通り、本実施例と上述の実施例は、ほぼ同じであるが、例として歯固定材５ｆを別の構造形態で実施している。前記歯固定材５ｆは、前記第１グリップアーム５４ｆ及び前記第２グリップアーム５５ｆにおける前記第１挟持部５４１ｆ及び前記第２挟持部５５１ｆから離れた一側は、ハンドル部５８ｆをそれぞれ備えるととも、前記第１グリップアーム５４ｆは、第１ストッパー部５４２ｆを備え、さらに、前記第２グリップアーム５５ｆは、前記第１ストッパー部５４２ｆに対応して連結される第２ストッパー部５５２ｆを備えることで、前記第１グリップアーム５４ｆ及び前記第２グリップアーム５５ｆが上下にずれるのを防止する。本実施例において、歯固定材５ｆは、挟持原理により第１歯６１ｆのクラウン側辺を同様に固定するが、歯固定材５ｆは、はさみ状の外観であるため、ハンドル部５８ｆを操作することで第１グリップアーム５４ｆ及び第２グリップアーム５５ｆを動かすことができ、第１グリップアーム５４ｆ及び第２グリップアーム５５ｆの長さが比較的長いことで引き起こされる上下にずれるという問題を防止するため、第１グリップアーム５４ｆ及び第２グリップアーム５５ｆの内側は、第１ストッパー部５４２ｆ及び第２ストッパー部５５２ｆをそれぞれ備え、第１ストッパー部５４２ｆ及び第２ストッパー部５５２ｆは、それぞれ凸リブ状及び凹溝状であり、第１グリップアーム５４ｆ及び第２グリップアーム５５ｆが締め付けられる際、凹凸部分が係合することで、上下にずれるのを防止する効果が達成され、挟持した後、締付部品５７ｆによって同様に固定することができる。従って、鉗子ユニット１ｆをはさみ状の歯固定材５ｆと組み合わせ、同様に、第１緩衝部品３ｆを組み合わせることで第１緩衝部品３ｆが支点となり、当接フック部２２ｆの穿孔部５６ｆにより力を加えることができるだけでなく、使用者が第１挟持部５４１ｆ及び第２挟持部５５１ｆにより第１歯６１ｆの外側をさらに取り囲みやすくすることができる。
【００３６】
図２５も併せて参照する。図２５は、本考案における好ましい実施例８の実施図であり、図から明らかな通り、本実施例と上述の実施例は、ほぼ同じであるが、前記第１挟持部５４１ｇ及び前記第２挟持部５５１ｇの一側は、延長挟持部５９ｇをそれぞれ備える。これにより、第１歯６１ｇが残った歯根であり、第１挟持部５４１ｇ及び第２挟持部５５１ｇによってクラウン側の表面を直接取り囲むことができない場合でも、延長挟持部５９ｇにより歯肉の下に残った歯根にまで届くため、同様に挟持の原理によって、第１歯６１ｇを固定するが、挟持力は、限られているため、通常１本の歯根または２本の歯根の第１歯６１ｇに適用される。
【符号の説明】
【００３７】
１、１ａ、１ｅ、１ｆ  鉗子ユニット
１１、１１ｃ、１１ｄ  第１鉗子アーム
１２、１２ｃ、１２ｄ  第２鉗子アーム
１２１  陥凹部
１２２、１２２ｂ  第１緩衝接合部
１３  弾性部品
１４ｃ、１４ｄ  第１アーム接合部
１５ｃ  アーム延長部品
１５１ｃ  第２アーム接合部
１６ｄ  加圧部品
１６１ｄ  第３アーム接合部
１６２ｄ  ねじ部
１６３ｄ  操作部
１６３１ｄ  連結棒
１６３２ｄ  回転ハンドル
２、２ｃ、２ｄ  てこ部品
２１  連動アーム
２２、２２ａ、２２ｅ、２２ｆ  当接フック部
３、３ａ、３ｂ、３ｆ  第１緩衝部品
３１  第２緩衝接合部
３２、３２ｂ  第１隙間部
４、４ｂ  第２緩衝部品
４１  第２緩衝接合部
４２１ｂ  アーム延展延長部品
４２２ｂ  緩衝部
４２３ｂ  第２隙間部
５、５ａ、５ｅ、５ｆ  歯固定材
５１、５１ａ  ドリル部
５２、５２ａ  鉗子ヘッド
５２１ａ  ホック部
５３、５３ａ  位置決め部
５３１  デンタルフロス
５４ｅ、５４ｆ  第１グリップアーム
５４１ｅ、５４１ｆ、５４１ｇ  第１挟持部
５４２ｆ  第１ストッパー部
５５ｅ、５５ｆ  第２グリップアーム
５５１ｅ、５５１ｆ、５５１ｇ  第２挟持部
５５２ｆ  第２ストッパー部
５６ｅ、５６ｆ  穿孔部
５７ｅ、５７ｆ  緊迫件
５８ｆ  ハンドル部
５９ｇ  延長挟持部
６１、６１ａ、６１ｂ、６１ｅ、６１ｆ、６１ｇ  第１歯
６２、６２ａ、６２ｂ  第２歯
６３  口角
【図１】
0003222674.tif 000003
【図２】
0003222674.tif 000004
【図３】
0003222674.tif 000005
【図４】
0003222674.tif 000006
【図５】
0003222674.tif 000007
【図６】
0003222674.tif 000008
【図７】
0003222674.tif 000009
【図８】
0003222674.tif 000010
【図９】
0003222674.tif 000011
【図１０】
0003222674.tif 000012
【図１１】
0003222674.tif 000013
【図１２】
0003222674.tif 000014
【図１３】
0003222674.tif 000015
【図１４】
0003222674.tif 000016
【図１５】
0003222674.tif 000017
【図１６】
0003222674.tif 000018
【図１７】
0003222674.tif 000019
【図１８】
0003222674.tif 000020
【図１９】
0003222674.tif 000021
【図２０】
0003222674.tif 000022
【図２１】
0003222674.tif 000023
【図２２】
0003222674.tif 000024
【図２３】
0003222674.tif 000025
【図２４】
0003222674.tif 000026
【図２５】
0003222674.tif 000027